(57)【特許請求の範囲】
【請求項１】
無線通信方法であって、
端末装置が送信待ちデータを送信するための第一の伝送フォーマットを確定することと、
前記端末装置が、前記第一の伝送フォーマットに従って、ネットワーク装置へ前記送信待ちデータを送信することとを含み、
前記端末装置が送信待ちデータを送信するための第一の伝送フォーマットを確定することは、
前記第一の伝送フォーマットに含まれる第一の伝送ブロックサイズを確定することと、
前記第一の伝送ブロックサイズに基づき、予め設定された複数の変調方式のうちの各変調方式に対応する送信電力を計算することと、
前記各変調方式に対応する送信電力に従って、前記第一の伝送フォーマットに含まれる第一の変調方式又は第一の変調符号化レベルを確定することとを含む、前記無線通信方法。
【請求項２】
前記第一の伝送フォーマットは、
第一の符号化レート及び第一の物理リソースブロックサイズのうちの少なくとも一つをさらに含むことを特徴とする
請求項１に記載の方法。
【請求項３】
前記方法はさらに、
前記端末装置が前記ネットワーク装置へ第一の指示情報を送信し、前記第一の指示情報が前記第一の伝送フォーマットを示すことに用いられることを含むことを特徴とする
請求項１又は２に記載の方法。
【請求項４】
前記端末装置が送信待ちデータを送信するための第一の伝送フォーマットを確定することはさらに、
前記端末装置が下記の少なくとも一つに基づき、前記第一の伝送フォーマットを確定することを含む、ことを特徴とする請求項１−３のいずれか一項に記載の方法。
予め設定された複数の伝送フォーマット、
前記送信待ちデータのデータ量、
現在のダウンリンク品質、
前記送信待ちデータのサービス品質（ＱｏＳ）要求、
前記送信待ちデータのベアラ、
前記送信待ちデータのデータフロー、
予め設定されたアップリンク利用可能リソースの位置、
予め設定されたアップリンク利用可能リソースのサイズ、予め設定された基準コードレート、単位アップリンクリソースで搬送可能なビット数、
前記端末装置が前記送信待ちデータを伝送するための最大利用可能送信電力。
【請求項５】
前記端末装置が送信待ちデータを送信するための第一の伝送フォーマットを確定することはさらに、
予め設定された複数の伝送ブロックサイズ、及び前記送信待ちデータのデータ量に基づき、少なくとも一つの伝送ブロックサイズを確定し、前記少なくとも一つの伝送ブロックサイズが前記複数の伝送ブロックサイズのうちの前記送信待ちデータのデータ量より大きい伝送ブロックサイズであることと、
前記少なくとも一つの伝送ブロックサイズのうちの最小の伝送ブロックサイズを前記第一の伝送フォーマットに含まれる第一の伝送ブロックサイズとして確定することとを含むことを特徴とする
請求項１−４のいずれか一項に記載の方法。
【請求項６】
前記端末装置が送信待ちデータを送信するための第一の伝送フォーマットを確定することはさらに、
予め設定された複数の伝送ブロックサイズ、及び前記送信待ちデータのデータ量に基づき、少なくとも一つの伝送ブロックサイズを確定し、前記少なくとも一つの伝送ブロックサイズが前記複数の伝送ブロックサイズのうちの前記送信待ちデータのデータ量より小さい伝送ブロックサイズであることと、
前記少なくとも一つの伝送ブロックサイズのうちの最大の伝送ブロックサイズを前記第一の伝送フォーマットに含まれる第一の伝送ブロックサイズとして確定することとを含むことを特徴とする
請求項１−４のいずれか一項に記載の方法。
【請求項７】
前記端末装置が送信待ちデータを送信するための第一の伝送フォーマットを確定することはさらに、
予め設定されたアップリンク利用可能リソースのサイズ、予め設定された基準コードレート、及び単位アップリンクリソースで搬送可能なビット数に基づき、前記第一の伝送フォーマットに含まれる第一の伝送ブロックサイズを確定することを含むことを特徴とする
請求項１−４のいずれか一項に記載の方法。
【請求項８】
前記端末装置が送信待ちデータを送信するための第一の伝送フォーマットを確定することはさらに、
前記端末装置が現在のダウンリンク品質、及び第一の対応関係に基づき、前記第一の伝送フォーマットを確定し、ここで、前記第一の対応関係が複数の伝送フォーマットと複数のダウンリンク品質範囲との対応関係を示すことに用いられることを含むことを特徴とする
請求項１−４のいずれか一項に記載の方法。
【請求項９】
前記端末装置が送信待ちデータを送信するための第一の伝送フォーマットを確定することはさらに、
前記端末装置が前記送信待ちデータのデータフロー、及び第二の対応関係に基づき、前記第一の伝送フォーマットを確定し、ここで、前記第二の対応関係が複数の伝送フォーマットと複数のデータフローとの対応関係を示すことに用いられることを含むことを特徴とする
請求項１−４のいずれか一項に記載の方法。
【請求項１０】
前記端末装置が送信待ちデータを送信するための第一の伝送フォーマットを確定することはさらに、
前記端末装置が前記送信待ちデータのベアラ、及び第三の対応関係に基づき、前記第一の伝送フォーマットを確定し、ここで、前記第三の対応関係が複数の伝送フォーマットと複数のベアラとの対応関係を示すことに用いられることを含むことを特徴とする
請求項１−４のいずれか一項に記載の方法。
【請求項１１】
前記端末装置が前記第一の伝送フォーマットを確定することはさらに、
前記端末装置が予め設定された、アップリンクデータを伝送するための利用可能リソースの位置、及び第四の対応関係に基づき、前記第一の伝送フォーマットを確定し、ここで、前記第四の対応関係が複数の伝送フォーマットと複数のアップリンクリソース位置範囲との対応関係を示すことに用いられることを含むことを特徴とする
請求項１−４のいずれか一項に記載の方法。
【請求項１２】
前記端末装置が前記第一の伝送フォーマットを確定することはさらに、
前記端末装置が前記送信待ちデータのＱｏＳ要求、及び複数の伝送フォーマットのうちの各複数の伝送フォーマットが満たすことができるＱｏＳ要求に基づき、前記第一の伝送フォーマットを確定することを含むことを特徴とする
請求項１−４のいずれか一項に記載の方法。
【請求項１３】
前記方法はさらに、
前記端末装置が前記ネットワーク装置の配置情報を受信し、前記配置情報が下記の少なくとも一つを示すことに用いられることを含むを特徴とする請求項４に記載の方法。
前記予め設定された複数の伝送フォーマット、
前記予め設定されたアップリンク利用可能リソースの位置、
前記予め設定されたアップリンク利用可能リソースのサイズ、及び
前記予め設定されたアップリンクデータの基準コードレート。
【請求項１４】
端末装置であって、
請求項１−１３のいずれか一項に記載の方法を実行する前記端末装置。
【発明の詳細な説明】
【技術分野】
【０００１】
本出願は通信分野に関し、且つより具体的には、無線通信方法、端末装置とネットワーク装置に関する。
【背景技術】
【０００２】
典型的な無線通信ネットワーク（例えば、長期進化型（Ｌｏｎｇ  Ｔｅｒｍ  Ｅｖｏｌｕｔｉｏｎ：「ＬＴＥ」ネットワークと略称）では、アップリンクデータ共有チャネル（Ｓｈａｒｅｄ  Ｄａｔａ  Ｃｈａｎｎｅｌ）の選択がスケジューリング／グラント（Ｓｃｈｅｄｕｌｉｎｇ／Ｇｒａｎｔ）メカニズムに基づき、完全に基地局（Ｂａｓｅ  Ｓｔａｔｉｏｎ：「ＢＳ」と略称）によって制御される。該メカニズムでは、ユーザ装置（Ｕｓｅｒ  Ｅｑｕｉｐｍｅｎｔ：「ＵＥ」と略称）はまずＢＳへアップリンクスケジューリングリクエストを送信する。ＢＳはリクエストを受信した後、ＵＥへアップリンクグラント（Ｇｒａｎｔ）を送信して該ＵＥに割り当てられたアップリンク伝送リソースを該ＵＥに通知する。ＵＥはこれに基づいてグラントされたアップリンク伝送リソースでデータ伝送を行う。
【０００３】
大規模ユーザアクセスは、次世代通信ネットワークの典型的な応用シーンの一つである。多数のユーザがアクセスする場合、上記スケジューリング／グラント（Ｓｃｈｅｄｕｌｉｎｇ  ／  Ｇｒａｎｔ）メカニズムをそのまま用いると、一方では巨大なシグナリング伝送オーバーヘッド及びＢＳリソース割り当てのスケジューリング圧力を招き、他方では著しい伝送遅延を引き起こす。これに鑑みて、次世代通信ネットワークは、多数のユーザアクセスをサポートするためにグラントフリー伝送方式を用いる。
【０００４】
したがって、どのようにグラントフリー伝送を実現するかは解決すべき問題である。
【発明の概要】
【発明が解決しようとする課題】
【０００５】
本出願の実施例は、端末装置が非スケジューリング方式で伝送フォーマットを確定することを実現することができ、グラントフリー伝送を実現することができる無線通信方法、端末装置とネットワーク装置を提供する。
【課題を解決するための手段】
【０００６】
第一の態様による無線通信方法は、
端末装置が送信待ちデータを送信するための第一の伝送フォーマットを確定することと、
前記第一の伝送フォーマットに従って、前記端末装置がネットワーク装置へ前記送信待ちデータを送信することとを含む。
【０００７】
第一の態様と組み合わせ、第一の態様の一つの可能な実施形態では、前記第一の伝送フォーマットは、
第一の変調方式、第一の符号化レート、第一の伝送ブロックサイズ、第一の変調符号化レベル、及び第一の物理リソースブロックサイズのうちの少なくとも一つを含む。
【０００８】
第一の態様又はその上記のいずれかの可能な実施形態と組み合わせ、第一の態様の別の可能な実施形態では、前記方法はさらに、
前記端末装置が前記ネットワーク装置へ第一の指示情報を送信し、前記第一の指示情報が前記第一の伝送フォーマットを示すことに用いられることを含む。
【０００９】
第一の態様又はその上記のいずれかの可能な実施形態と組み合わせ、第一の態様の別の可能な実施形態では、前記端末装置が前記ネットワーク装置へ第一の指示情報を送信することは、
前記端末装置が前記送信待ちデータを送信するためのデータチャネルを介して前記ネットワーク装置へ前記第一の指示情報を送信することを含む。
【００１０】
第一の態様又はその上記のいずれかの可能な実施形態と組み合わせ、第一の態様の別の可能な実施形態では、前記端末装置が前記ネットワーク装置へ第一の指示情報を送信することは、
前記端末装置が伝送フォーマットの指示情報を送信するためのプリセットリソースで、前記ネットワーク装置へ前記第一の指示情報を送信することを含む。
【００１１】
第一の態様又はその上記のいずれかの可能な実施形態と組み合わせ、第一の態様の別の可能な実施形態では、前記プリセットリソースは前記端末装置の専用リソースであり、又は、
前記プリセットリソースは複数の端末装置によって共有されるリソースであり、前記指示情報はさらに前記端末装置の識別子を含む。
【００１２】
第一の態様又はその上記のいずれかの可能な実施形態と組み合わせ、第一の態様の別の可能な実施形態では、前記端末装置が送信待ちデータを送信するための第一の伝送フォーマットを確定することは、
前記端末装置が下記の少なくとも一つに基づき、前記第一の伝送フォーマットを確定することを含む。
【００１３】
予め設定された複数の伝送フォーマット、
前記送信待ちデータのデータ量、
現在のダウンリンク品質、
前記送信待ちデータのサービス品質（ＱｏＳ）要求、
前記送信待ちデータのベアラ、
前記送信待ちデータのデータフロー、
予め設定されたアップリンク利用可能リソースの位置、
予め設定されたアップリンク利用可能リソースのサイズ、予め設定された基準コードレート、単位アップリンクリソースで搬送可能なビット数、
前記端末装置が前記送信待ちデータを伝送するための最大利用可能送信電力。
【００１４】
第一の態様又はその上記のいずれかの可能な実施形態と組み合わせ、第一の態様の別の可能な実施形態では、前記端末装置が送信待ちデータを送信するための第一の伝送フォーマットを確定することは、
予め設定された複数の伝送ブロックサイズ、及び前記送信待ちデータのデータ量に基づき、少なくとも一つの伝送ブロックサイズを確定し、前記少なくとも一つの伝送ブロックサイズが前記複数の伝送ブロックサイズのうちの前記送信待ちデータのデータ量より大きい伝送ブロックサイズであることと、
前記少なくとも一つの伝送ブロックサイズのうちの最小の伝送ブロックサイズを前記第一の伝送フォーマットに含まれる第一の伝送ブロックサイズとして確定することとを含む。
【００１５】
第一の態様又はその上記のいずれかの可能な実施形態と組み合わせ、第一の態様の別の可能な実施形態では、前記端末装置が送信待ちデータを送信するための第一の伝送フォーマットを確定することは、
予め設定された複数の伝送ブロックサイズ、及び前記送信待ちデータのデータ量に基づき、少なくとも一つの伝送ブロックサイズを確定し、前記少なくとも一つの伝送ブロックサイズが前記複数の伝送ブロックサイズのうちの前記送信待ちデータのデータ量より小さい伝送ブロックサイズであることと、
前記少なくとも一つの伝送ブロックサイズのうちの最大の伝送ブロックサイズを前記第一の伝送フォーマットに含まれる第一の伝送ブロックサイズとして確定することとを含む。
【００１６】
第一の態様又はその上記のいずれかの可能な実施形態と組み合わせ、第一の態様の別の可能な実施形態では、前記端末装置が送信待ちデータを送信するための第一の伝送フォーマットを確定することは、
予め設定されたアップリンク利用可能リソースのサイズ、予め設定された基準コードレート、及び単位アップリンクリソースで搬送可能なビット数に基づき、前記第一の伝送フォーマットに含まれる第一の伝送ブロックサイズを確定することを含む。
【００１７】
第一の態様又はその上記のいずれかの可能な実施形態と組み合わせ、第一の態様の別の可能な実施形態では、前記端末装置が送信待ちデータを送信するための第一の伝送フォーマットを確定することは、
前記第一の伝送フォーマットに含まれる第一の伝送ブロックサイズを確定することと、
前記第一の伝送ブロックサイズに基づき、予め設定された複数の変調方式のうちの各変調方式に対応する送信電力を計算することと、
前記各変調方式に対応する送信電力に従って、前記第一の伝送フォーマットに含まれる第一の変調方式又は第一の変調符号化レベルを確定することとを含む。
【００１８】
第一の態様又はその上記のいずれかの可能な実施形態と組み合わせ、第一の態様の別の可能な実施形態では、前記第一の変調方式又は前記第一の変調符号化レベルに含まれる変調方式に対応する送信電力は、前記複数の変調方式に対応する送信電力のうちの最小の送信電力であり、及び／又は
前記第一の変調方式又は前記第一の変調符号化レベルに含まれる変調方式に対応する送信電力は前記端末装置が前記送信待ちデータを伝送するための最大利用可能送信電力より小さい。
【００１９】
第一の態様又はその上記のいずれかの可能な実施形態と組み合わせ、第一の態様の別の可能な実施形態では、前記単位アップリンクリソースで搬送可能なビット数は複数の変調方式のうちの各変調方式に対応する単位アップリンクリソースで搬送可能なビット数を含み、
前記端末装置が送信待ちデータを送信するための第一の伝送フォーマットを確定することは、
前記アップリンク利用可能リソースのサイズ、前記基準コードレート、及び前記各変調方式に対応する単位アップリンクリソースで搬送可能なビット数に基づき、前記各変調方式に対応する伝送ブロックサイズを確定することと、
前記複数の変調方式に対応する伝送ブロックサイズに基づき、前記第一の伝送フォーマットに含まれる第一の伝送ブロックサイズを確定し、前記第一の伝送フォーマットに含まれる第一の変調方式又は第一の変調符号化レベルを確定することとを含む。
【００２０】
第一の態様又はその上記のいずれかの可能な実施形態と組み合わせ、第一の態様の別の可能な実施形態では、前記第一の伝送フォーマットに含まれる第一の伝送ブロックサイズを確定し、前記第一の伝送フォーマットに含まれる第一の変調方式又は第一の変調符号化レベルを確定することは、
前記複数の変調方式に対応する伝送ブロックサイズのうちの最大の伝送ブロックサイズを前記第一の伝送ブロックサイズとして確定することと、
前記第一の伝送ブロックサイズに対応する変調方式を前記第一の変調方式として確定し、又は前記第一の伝送ブロックサイズに対応する変調方式が属する変調符号化レベルを前記第一の変調符号化レベルとして確定することとを含む。
【００２１】
第一の態様又はその上記のいずれかの可能な実施形態と組み合わせ、第一の態様の別の可能な実施形態では、前記第一の伝送フォーマットに含まれる第一の伝送ブロックサイズを確定し、前記第一の伝送フォーマットに含まれる第一の変調方式又は第一の変調符号化レベルを確定することは、
前記複数の変調方式に対応する伝送ブロックサイズから、前記送信待ちデータのデータ量より大きい少なくとも一つの伝送ブロックサイズを確定することと、
前記少なくとも一つの伝送ブロックサイズのうちの最小の伝送ブロックサイズを前記第一の伝送ブロックサイズとして確定することと、
前記第一の伝送ブロックサイズに対応する変調方式を前記第一の変調方式として確定し、又は前記第一の伝送ブロックサイズに対応する変調方式が属する変調符号化レベルを前記第一の変調符号化レベルとして確定することとを含む。
【００２２】
第一の態様又はその上記のいずれかの可能な実施形態と組み合わせ、第一の態様の別の可能な実施形態では、前記第一の伝送フォーマットに含まれる第一の伝送ブロックサイズを確定し、前記第一の伝送フォーマットに含まれる第一の変調方式又は第一の変調符号化レベルを確定することは、
前記各変調方式の対応する伝送ブロックサイズにおける送信電力を計算することと、
前記各変調方式の対応する伝送ブロックサイズにおける送信電力に基づき、前記第一の伝送ブロックサイズを確定し、第一の変調方式又は第一の変調符号化レベルを確定することとを含む。
【００２３】
第一の態様又はその上記のいずれかの可能な実施形態と組み合わせ、第一の態様の別の可能な実施形態では、前記第一の変調方式又は前記第一の変調符号化レベルに含まれる変調方式に対応する送信電力は、前記複数の変調方式に対応する送信電力のうちの最小の送信電力であり、及び／又は
前記第一の変調方式又は前記第一の変調符号化レベルに含まれる変調方式に対応する送信電力は前記端末装置が前記送信待ちデータを伝送するための最大利用可能送信電力より小さい。
【００２４】
第一の態様又はその上記のいずれかの可能な実施形態と組み合わせ、第一の態様の別の可能な実施形態では、前記各変調方式の対応する伝送ブロックサイズにおける送信電力に基づき、前記第一の伝送ブロックサイズと第一の変調方式を確定することは、
前記各変調方式の対応する伝送ブロックサイズにおける送信電力、及び前記各変調方式に対応する伝送ブロックサイズに基づき、前記第一の伝送ブロックサイズを確定し、第一の変調方式又は第一の変調符号化レベルを確定することを含む。
【００２５】
第一の態様又はその上記のいずれかの可能な実施形態と組み合わせ、第一の態様の別の可能な実施形態では、前記端末装置が送信待ちデータを送信するための第一の伝送フォーマットを確定することは、
前記端末装置が現在のダウンリンク品質、及び第一の対応関係に基づき、前記第一の伝送フォーマットを確定し、ここで、前記第一の対応関係が複数の伝送フォーマットと複数のダウンリンク品質範囲との対応関係を示すことに用いられることを含む。
【００２６】
第一の態様又はその上記のいずれかの可能な実施形態と組み合わせ、第一の態様の別の可能な実施形態では、前記端末装置が送信待ちデータを送信するための第一の伝送フォーマットを確定することは、
前記端末装置が前記送信待ちデータのデータフロー、及び第二の対応関係に基づき、前記第一の伝送フォーマットを確定し、ここで、前記第二の対応関係が複数の伝送フォーマットと複数のデータフローとの対応関係を示すことに用いられることを含む。
【００２７】
第一の態様又はその上記のいずれかの可能な実施形態と組み合わせ、第一の態様の別の可能な実施形態では、前記端末装置が送信待ちデータを送信するための第一の伝送フォーマットを確定することは、
前記端末装置が前記送信待ちデータのベアラ、及び第三の対応関係に基づき、前記第一の伝送フォーマットを確定し、ここで、前記第三の対応関係が複数の伝送フォーマットと複数のベアラとの対応関係を示すことに用いられることを含む。
【００２８】
第一の態様又はその上記のいずれかの可能な実施形態と組み合わせ、第一の態様の別の可能な実施形態では、前記端末装置が前記第一の伝送フォーマットを確定することは、
前記端末装置が前記予め設定された、アップリンクデータを伝送するための利用可能リソースの位置、及び第四の対応関係に基づき、前記第一の伝送フォーマットを確定し、ここで、前記第三の対応関係が複数の伝送フォーマットと複数のアップリンクリソース位置範囲との対応関係を示すことに用いられることを含む。
【００２９】
第一の態様又はその上記のいずれかの可能な実施形態と組み合わせ、第一の態様の別の可能な実施形態では、前記端末装置が前記第一の伝送フォーマットを確定することは、
前記端末装置が前記送信待ちデータのＱｏＳ要求、及び複数の伝送フォーマットのうちの各複数の伝送フォーマットが満たすことができるＱｏＳ要求に基づき、前記第一の伝送フォーマットを確定することを含む。
【００３０】
第一の態様又はその上記のいずれかの可能な実施形態と組み合わせ、第一の態様の別の可能な実施形態では、前記方法はさらに、
前記端末装置が前記ネットワーク装置の配置情報を受信し、前記配置情報が下記の少なくとも一つを示すことに用いられることを含む。
【００３１】
前記予め設定された複数の伝送フォーマット、
前記予め設定されたアップリンク利用可能リソースの位置、
前記予め設定されたアップリンク利用可能リソースのサイズ、及び
予め設定されたアップリンクデータの基準コードレート。
【００３２】
第一の態様又はその上記のいずれかの可能な実施形態と組み合わせ、第一の態様の別の可能な実施形態では、前記端末装置が前記ネットワーク装置の配置情報を受信することは、
前記端末装置が前記ネットワーク装置によって無線リソース制御（ＲＲＣ）層シグナリング、メディアアクセス制御（ＭＡＣ）層シグナリング又は物理層シグナリングを介して送信された前記配置情報を受信することを含む。
【００３３】
第一の態様又はその上記のいずれかの可能な実施形態と組み合わせ、第一の態様の別の可能な実施形態では、前記方法はグラントフリー伝送に用いられる。
【００３４】
第一の態様又はその上記のいずれかの可能な実施形態と組み合わせ、第一の態様の別の可能な実施形態では、前記方法は非アクティブ状態の端末装置に用いられる。
【００３５】
第二の態様による無線通信方法は、
ネットワーク装置が受信待ちデータを受信するための第一の伝送フォーマットを確定することと、
前記第一の伝送フォーマットに従って、前記ネットワーク装置が端末装置から送信された前記受信待ちデータを受信することとを含む。
【００３６】
第二の態様と組み合わせ、第二の態様の一つの可能な実施形態では、前記第一の伝送フォーマットは、
第一の変調方式、第一の符号化レート、第一の伝送ブロックサイズ、第一の変調符号化レベル、及び第一の物理リソースブロックサイズのうちの少なくとも一つを含む。
【００３７】
第二の態様又はその上記のいずれかの可能な実施形態と組み合わせ、第二の態様の別の可能な実施形態では、前記方法はさらに、
前記ネットワーク装置が前記端末装置から送信された第一の指示情報を受信し、前記第一の指示情報が前記第一の伝送フォーマットを示すことに用いられることを含み、
前記ネットワーク装置が受信待ちデータを受信するための第一の伝送フォーマットを確定することは、
前記ネットワーク装置が前記第一の指示情報に基づき、前記第一の伝送フォーマットを確定することを含む。
【００３８】
第二の態様又はその上記のいずれかの可能な実施形態と組み合わせ、第二の態様の別の可能な実施形態では、前記ネットワーク装置が前記端末装置から送信された第一の指示情報を受信することは、
前記ネットワーク装置が前記受信待ちデータを伝送するためのデータチャネルを介し、前記端末装置から送信された前記第一の指示情報を受信することを含む。
【００３９】
第二の態様又はその上記のいずれかの可能な実施形態と組み合わせ、第二の態様の別の可能な実施形態では、前記ネットワーク装置が前記端末装置から送信された第一の指示情報を受信することは、
前記ネットワーク装置が伝送フォーマットの指示情報を伝送するためのプリセットリソースで、前記端末装置から送信された前記第一の指示情報を受信することを含む。
【００４０】
第二の態様又はその上記のいずれかの可能な実施形態と組み合わせ、第二の態様の別の可能な実施形態では、前記プリセットリソースは前記端末装置の専用リソースであり、又は、
前記プリセットリソースは複数の端末装置によって共有されるリソースであり、前記指示情報はさらに前記端末装置の識別子を含む。
【００４１】
第二の態様又はその上記のいずれかの可能な実施形態と組み合わせ、第二の態様の別の可能な実施形態では、前記方法はさらに、
前記ネットワーク装置が、受信側がアップリンクデータを伝送するための伝送フォーマットを選択するために、配置情報を送信し、ここで、前記受信側が前記端末装置を含み、前記配置情報が下記の少なくとも一つを示すことに用いられることを含む。
【００４２】
予め設定された複数の伝送フォーマット、
予め設定されたアップリンク利用可能リソースの位置、
予め設定されたアップリンク利用可能リソースのサイズ、及び
予め設定されたアップリンクデータの基準コードレート。
【００４３】
第二の態様又はその上記のいずれかの可能な実施形態と組み合わせ、第二の態様の別の可能な実施形態では、前記方法はグラントフリー伝送に用いられる。
【００４４】
第二の態様又はその上記のいずれかの可能な実施形態と組み合わせ、第二の態様の別の可能な実施形態では、前記端末装置は非アクティブ状態にある端末装置である。
【００４５】
第三の態様による端末装置は、第一の態様又はそのいずれかの選択可能な実施形態における方法を実行するためのユニットを備えることができる。
【００４６】
第四の態様によるネットワーク装置は、第二の態様又はそのいずれかの選択可能な実施形態における方法を実行するためのユニットを備えることができる。
【００４７】
第五の態様による端末装置は、メモリとプロセッサを備えることができ、該メモリが命令を記憶し、該プロセッサがメモリに記憶された命令を呼び出して第一の態様又はそのいずれかの選択可能な実施形態における方法を実行することに用いられる。
【００４８】
第六の態様によるネットワーク装置は、メモリとプロセッサを備えることができ、該メモリが命令を記憶し、該プロセッサがメモリに記憶された命令を呼び出して第二の態様又はそのいずれかの選択可能な実施形態における方法を実行することに用いられる。
【００４９】
第七の態様によるコンピュータ可読媒体は、端末装置で実行されるためのプログラムコードを記憶し、前記プログラムコードが第一の態様又はその様々な実施形態における方法を実行するための命令を含み、又は第二の態様又はその様々な実施形態における方法を実行するための命令を含む。
【００５０】
第八の態様によるシステムチップは、入力インタフェース、出力インタフェース、プロセッサとメモリを備え、該プロセッサが該メモリでのコードを実行することに用いられ、該コードが実行される場合、該プロセッサが前記第一の態様及びその様々な実施形態における方法を実現することができ、又は該プロセッサが前記第二の態様及び様々な実施形態における方法を実施することができる。
【図面の簡単な説明】
【００５１】
【図１】本出願の実施例による無線通信システムの概略図である。
【図２】本出願の実施例による無線通信方法の概略フローチャートである。
【図３】本出願の実施例による無線通信方法の概略フローチャートである。
【図４】本出願の実施例による端末装置の概略ブロック図である。
【図５】本出願の実施例によるネットワーク装置の概略ブロック図である。
【図６】本出願の実施例による通信装置の概略ブロック図である。
【図７】本出願の実施例によるシステムチップの概略ブロック図である。
【発明を実施するための形態】
【００５２】
本出願の実施例における技術的解決手段をより明確に説明するために、以下に実施例又は従来技術の説明に必要な図面を簡単に説明するが、明らかに、以下に記載する図面は本出願のいくつかの実施例だけであり、当業者であれば、創造的な労力を要することなく、これらの図面に基づいて他の図面を得ることができる。
【００５３】
以下に本出願の実施例の図面と組み合わせて本出願の実施例に係る技術的解決策を説明し、明らかに、説明した実施例は本出願の実施例の一部だけであり、全ての実施例ではない。本出願の実施例に基づき、当業者が創造的な労力を要せずに想到し得る他の実施例は、いずれも本出願の保護範囲に属するべきである。
【００５４】
本明細書で使用される「部材」、「モジュール」、「システム」などの用語は、コンピュータと関連するエンティティ、ハードウェア、ファームウェア、ハードウェアとソフトウェアの組み合わせ、ソフトウェア、又は実行中のソフトウェアを表すことに用いられる。例えば、部材はプロセッサで実行されるプロセス、プロセッサ、オブジェクト、実行可能ファイル、実行スレッド、プログラム及び／又はコンピュータであってもよいがこれらに限定されない。図示により、コンピューティングデバイスで実行されているアプリケーションとコンピューティングデバイスは全て部材であってもよい。一つ又は複数の部材がプロセス及び／又は実行スレッドに滞在することができ、部材が１つのコンピュータに位置し、及び／又は２つ以上のコンピュータ間に分散することができる。また、これらの部材は様々なデータ構造を記憶している上記の様々なコンピュータ可読媒体から実行されてもよい。部材は例えば一つ又は複数のデータグループ（例えばローカルシステム、分散型システム及び／又はネットワーク間の別の部材とインタラクションを行う２つの部材からのデータ、例えば信号により他のシステムとインタラクションを行うインターネット）を有する信号に基づいてローカル及び／又は遠隔により通信することができる。
【００５５】
理解すべきものとして、本出願の実施例の技術的解決策は様々な通信システム、例えばグローバルモバイル通信（Ｇｌｏｂａｌ  Ｓｙｓｔｅｍ  ｏｆ  Ｍｏｂｉｌｅ  Ｃｏｍｍｕｎｉｃａｔｉｏｎ：「ＧＳＭ」と略称）システム、符号分割多元アクセス（Ｃｏｄｅ  Ｄｉｖｉｓｉｏｎ  Ｍｕｌｔｉｐｌｅ  Ａｃｃｅｓｓ：「ＣＤＭＡ」）システム、帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ：「ＷＣＤＭＡ」と略称）システム、長期進化型（Ｌｏｎｇ  Ｔｅｒｍ  Ｅｖｏｌｕｔｉｏｎ：「ＬＴＥ」と略称）システム、ＬＴＥ周波数分割複信（Ｆｒｅｑｕｅｎｃｙ  Ｄｉｖｉｓｉｏｎ  Ｄｕｐｌｅｘ：「ＦＤＤ」と略称）システム、ＬＴＥ時分割複信（Ｔｉｍｅ  Ｄｉｖｉｓｉｏｎ  Ｄｕｐｌｅｘ：「ＴＤＤ」と略称）、汎用移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：「ＵＭＴＳ」と略称）、及び将来の５Ｇ通信システムなどに応用されてもよい。
【００５６】
本出願は端末装置と組み合わせて各実施例を説明する。端末装置はユーザ装置（Ｕｓｅｒ  Ｅｑｕｉｐｍｅｎｔ：「ＵＥ」と略称）、アクセス端末、加入者ユニット、加入者局、移動局、移動ステーション、遠隔局、遠隔端末、移動装置、ユーザ端末、端末、無線通信装置、ユーザエージェント又はユーザ装置を指すこともできる。アクセス端末はセルラー電話、コードレス電話、セッション開始プロトコル（Ｓｅｓｓｉｏｎ  Ｉｎｉｔｉａｔｉｏｎ  Ｐｒｏｔｏｃｏｌ：「ＳＩＰ」と略称）電話、無線ローカルループ（Ｗｉｒｅｌｅｓｓ  Ｌｏｃａｌ  Ｌｏｏｐ：「ＷＬＬ」と略称）サイト、パーソナルデジタル処理（Ｐｅｒｓｏｎａｌ  Ｄｉｇｉｔａｌ  Ａｓｓｉｓｔａｎｔ：「ＰＤＡ」と略称）、無線通信機能を備えたハンドヘルドデバイス、コンピューティングデバイス又は無線モデムに接続された他の処理装置、車載デバイス、ウェアラブルデバイス、将来の５Ｇネットワークにおける端末装置又は将来の進化したＰＬＭＮネットワークにおける端末装置などであってもよい。
【００５７】
本出願はネットワーク装置と組み合わせて各実施例を説明する。ネットワーク装置は端末装置と通信するための装置であってもよく、例えばＧＳＭシステム又はＣＤＭＡにおける基地局（Ｂａｓｅ  Ｔｒａｎｓｃｅｉｖｅｒ  Ｓｔａｔｉｏｎ：「ＢＴＳ」と略称）であってもよいし、ＷＣＤＭＡシステムにおける基地局（ＮｏｄｅＢ：「ＮＢ」と略称）であってもよいし、ＬＴＥシステムにおける進化型基地局（Ｅｖｏｌｕｔｉｏｎａｌ  Ｎｏｄｅ  Ｂ：「ｅＮＢ」又は「ｅＮｏｄｅＢ」と略称）であってもよく、又は該ネットワーク装置は中継局、アクセスポイント、車載デバイス、ウェアラブルデバイス及び将来の５Ｇネットワークにおけるネットワーク装置又は将来の進化したＰＬＭＮネットワークにおけるネットワーク装置などであってもよい。
【００５８】
多数の接続が存在するため、将来の無線通信システムと従来の通信システムとの間に大きな違いがある。多数の接続には、ＵＥにアクセスするためにより多くのリソースを消費する必要があり、端末装置のデータ伝送に関連するスケジューリングシグナリングの伝送のためにより多くのリソースを消費する必要がある。
【００５９】
図１は本出願の実施例による無線通信システムの概略アーキテクチャである。図１に示すように、該無線通信システム１００は無線又は有線又は他の方式で接続されるネットワーク装置１０２と端末装置１０４〜１１４（図でＵＥと略称）を備えることができる。
【００６０】
本出願の実施例におけるネットワークは公衆陸上モバイルネットワーク（Ｐｕｂｌｉｃ  Ｌａｎｄ  Ｍｏｂｉｌｅ  Ｎｅｔｗｏｒｋ：「ＰＬＭＮ」と略称）又はＤ２Ｄネットワーク装置又はＭ２Ｍネットワーク又は他のネットワークを指すことができ、図１は例の概略図であるだけであるが、ネットワークにおいて他のネットワーク装置が含まれてもよく、図１に示されない。
【００６１】
本出願はグラントフリー（Ｇｒａｎｔ  Ｆｒｅｅ）伝送スキームを提案する。グラントフリー（Ｇｒａｎｔ  Ｆｒｅｅ）伝送は将来のネットワークにおける多数のＭＴＣタイプのサービスを解決し、低遅延、高信頼性のサービス伝送を満たすことができる。グラントフリー（Ｇｒａｎｔ  Ｆｒｅｅ）伝送はアップリンクデータ伝送に対することができる。当業者は、グラントフリー（Ｇｒａｎｔ  Ｆｒｅｅ）伝送が他の名称、例えば自発的アクセスなどと呼ばれてもよいことを知ることができる。ＵＬグラントフリー（Ｇｒａｎｔ  Ｆｒｅｅ）伝送は以下の意味のうちのいずれか一つ、又は複数の意味、又は複数の意味の一部の技術特徴の組み合わせとして理解されてもよい。
【００６２】
１、グラントフリー伝送は、ネットワーク装置が複数の伝送リソースを端末装置に予め割り当て通知し、端末装置にアップリンクデータ伝送ニーズがある時に、ネットワーク装置から予め割り当てられた複数の伝送リソースから少なくとも一つの伝送リソースを選択し、選択された伝送リソースを用いてアップリンクデータを送信し、ネットワーク装置が前記予め割り当てられた複数の伝送リソースのうちの一つ又は複数の伝送リソースで端末装置から送信されたアップリンクデータを検出することを意味することができる。前記検出はブラインド検出であってもよいし、前記アップリンクデータのうちのある制御ドメインに基づいて検出し、又は他の方式で検出することであってもよい。
【００６３】
２、グラントフリー伝送は、ネットワーク装置が複数の伝送リソースを端末装置に予め割り当て通知し、これにより端末装置にアップリンクデータ伝送ニーズがある時に、ネットワーク装置から予め割り当てられた複数の伝送リソースから少なくとも一つの伝送リソースを選択し、選択された伝送リソースを用いてアップリンクデータを送信することを意味することができる。
【００６４】
３、グラントフリー伝送は、予め割り当てられた複数の伝送リソースの情報を取得し、アップリンクデータ伝送ニーズがある時に、前記複数の伝送リソースから少なくとも一つの伝送リソースを選択し、選択された伝送リソースを用いてアップリンクデータを送信することを意味することができる。取得方式はネットワーク装置から取得することであってもよい。
【００６５】
４、グラントフリー伝送は、ネットワーク装置が動的にスケジューリングすることなく端末装置によるアップリンクデータの伝送を実現することができる方法を意味することができ、前記動的スケジューリングが、ネットワーク装置が端末装置の毎回のアップリンクデータ伝送のためにシグナリングによって伝送リソースを示すというスケジューリング方式である。選択可能に、端末装置のアップリンクデータ伝送を実現することは、２つ又は２つ以上の端末装置のデータが同じ時間周波数領域リソースでアップリンクデータ伝送を行うことを許可すると理解されてもよい。選択可能に、前記伝送リソースはＵＥが前記シグナリングを受信する時点の後の一つ又は複数の伝送時間単位の伝送リソースであってもよい。一つの伝送時間単位は一回伝送の最小時間ユニット、例えば伝送時間間隔（Ｔｒａｎｓｍｉｓｓｉｏｎ  Ｔｉｍｅ  Ｉｎｔｅｒｖａｌ：「ＴＴＩ」と略称）であってもよく、値が１ｍｓ、又は予め設定された伝送時間ユニットであってもよい。
【００６６】
５、グラントフリー伝送は、端末装置がネットワーク装置からのグラントを必要とせずにアップリンク伝送を行うことを意味することができる。前記グラントとは端末装置がアップリンクスケジューリングリクエストをネットワーク装置に送信し、ネットワーク装置がスケジューリングリクエストを受信した後、端末装置へアップリンクグラントを送信することを意味することができ、ここで前記アップリンクグラントが端末装置に割り当てられたアップリンク伝送リソースを示す。
【００６７】
６、グラントフリー伝送は、競争伝送方式を意味することができ、具体的に複数の端末装置が基地局のグラントを必要とせずに予め割り当てられた同じ時間周波数リソースでアップリンクデータ伝送を同時に行うことを意味することができる。
【００６８】
前記データはサービスデータ又はシグナリングデータを含むことができる。
【００６９】
前記ブラインド検出は、データが到着したかどうかを予測することなく到着する可能性があるデータに対して行われる検出として理解されてもよい。前記ブラインド検出は明示的なシグナリングによって示されない検出として理解されてもよい。
【００７０】
前記伝送リソースは、無線フレーム、サブフレーム、シンボルなどの時間領域リソース、サブ搬送波、リソースブロックなどの周波数領域リソース、送信アンテナ、ビームなどの空間領域リソース、スパースコードマルチプルアクセス（Ｓｐａｒｓｅ  Ｃｏｄｅ  Ｍｕｌｔｉｐｌｅ  Ａｃｃｅｓｓ：「ＳＣＭＡ」と略称）コードブックグループ、低密度シグネチャ（Ｌｏｗ  Ｄｅｎｓｉｔｙ  Ｓｉｇｎａｔｕｒｅ：「ＬＤＳ」と略称）グループ、ＣＤＭＡコードグループなどのコードドメインリソース、アップリンクパイロットリソースのうちの一つ又は複数の組み合わせを含むことができるがこれらに限定されない。
【００７１】
上記の伝送リソースは以下の制御メカニズムによる伝送を含むことができるがこれらに限定されない：アップリンク送信電力上限制御などのアップリンク電力制御、伝送ブロックサイズ、コードレート、変調次数設定などの変調及び符号化方式設定、ＨＡＲＱメカニズムなどの再送信メカニズム。
【００７２】
また、理解すべきものとして、図１の実施例はネットワーク装置が基地局であることを例として説明され、ネットワーク装置は他のアクセス装置（例えば無線アクセスポイント）であってもよい。
【００７３】
本出願をより明確に理解することが容易になるために、以下に図２−図７と組み合わせて本出願の実施例による解決策を説明する。
【００７４】
図２は本出願の実施例による無線通信方法２００の概略フローチャートである。該方法２００は選択可能にグラントフリー伝送に用いられる。
【００７５】
図２に示すように、該方法２００は以下を含む。
【００７６】
２１０において、端末装置は送信待ちデータを送信するための第一の伝送フォーマットを確定する。
【００７７】
選択可能に、前記第一の伝送フォーマットは、
第一の変調方式、第一の符号化レート、第一の伝送ブロックサイズ、第一の変調符号化レベル、及び第一の物理リソースブロックサイズのうちの少なくとも一つを含む。
【００７８】
例えば、第一の伝送フォーマットは第一の変調方式、第一の符号化レート、第一の伝送ブロックサイズ、第一の変調符号化レベル及び第一の物理リソースブロックサイズのうちの一つのみを含む。
【００７９】
例えば、第一の伝送フォーマットは第一の変調方式と第一の符号化レートを含むことができる。
【００８０】
例えば、第一の伝送フォーマットは第一の変調方式と第一の符号化レートを含み、第一の伝送ブロックサイズ、第一の変調符号化レートレベルと第一の物理リソースブロックサイズのうちの少なくとも一つを含むことができる。
【００８１】
例えば、第一の伝送フォーマットは第一の変調符号化レートレベルを含み、第一の伝送ブロックサイズ、第一の変調符号化レベルと第一の物理リソースブロックサイズのうちの少なくとも一つを含むことができる。
【００８２】
例えば、第一の伝送フォーマットは第一の伝送ブロックサイズと第一の物理リソースブロックサイズを含むことができる。
【００８３】
選択可能に、前記端末装置が下記の少なくとも一つに基づき、前記第一の伝送フォーマットを確定する。
【００８４】
予め設定された複数の伝送フォーマット、ここで、予め設定された伝送フォーマットが変調方式、符号化レート、伝送ブロックサイズ、変調符号化レベルと物理リソースブロックサイズのうちの少なくとも一つを含むことができ、
前記送信待ちデータのデータ量、
現在のダウンリンク品質、
前記送信待ちデータのサービス品質（ＱｏＳ：Ｑｕａｌｉｔｙ  ｏｆ  Ｓｅｒｖｉｃｅ）リクエスト例えば遅延リクエスト、
前記送信待ちデータのベアラ、
前記送信待ちデータのデータフロー、
予め設定されたアップリンク利用可能リソースの位置、
予め設定されたアップリンク利用可能リソースのサイズ、予め設定された基準コードレート、単位アップリンクリソースで搬送可能なビット数、
前記端末装置が前記送信待ちデータを伝送するための最大利用可能送信電力。
【００８５】
選択可能に、前記端末装置は前記ネットワーク装置の配置情報を受信し、前記配置情報が下記の少なくとも一つを示すことに用いられる。
【００８６】
前記予め設定された複数の伝送フォーマット、
前記予め設定されたアップリンク利用可能リソースの位置、
前記予め設定されたアップリンク利用可能リソースのサイズ、及び
予め設定されたアップリンクデータの基準コードレート。
【００８７】
選択可能に、前記端末装置は前記ネットワーク装置によって無線リソース制御（ＲＲＣ：Ｒａｄｉｏ  Ｒｅｓｏｕｒｃｅ  Ｃｏｎｔｒｏｌ）層シグナリング、メディアアクセス制御（ＭＡＣ：Ｍｅｄｉａ  Ａｃｃｅｓｓ  Ｃｏｎｔｒｏｌ）層シグナリング又は物理層シグナリングを介して送信された前記配置情報を受信する。
【００８８】
本出願をより明確に理解するために、以下にいくつかの実施形態と組み合わせ、端末装置が第一の伝送フォーマットを確定する方式を説明する。
【００８９】
一つの実施形態では、予め設定された複数の伝送ブロックサイズ、及び前記送信待ちデータのデータ量に基づき、少なくとも一つの伝送ブロックサイズを確定し、前記少なくとも一つの伝送ブロックサイズが前記複数の伝送ブロックサイズのうちの前記送信待ちデータのデータ量より大きい伝送ブロックサイズであり、前記少なくとも一つの伝送ブロックサイズのうちの最小の伝送ブロックサイズを前記第一の伝送フォーマットに含まれる第一の伝送ブロックサイズとして確定する。
【００９０】
一つの実施形態では、予め設定された複数の伝送ブロックサイズ、及び前記送信待ちデータのデータ量に基づき、少なくとも一つの伝送ブロックサイズを確定し、前記少なくとも一つの伝送ブロックサイズが前記複数の伝送ブロックサイズのうちの前記送信待ちデータのデータ量より小さい伝送ブロックサイズであり、前記少なくとも一つの伝送ブロックサイズのうちの最大の伝送ブロックサイズを前記第一の伝送フォーマットに含まれる第一の伝送ブロックサイズとして確定する。
【００９１】
一つの実施形態では、予め設定されたアップリンク利用可能リソースのサイズ、予め設定された基準コードレート、及び単位アップリンクリソースで搬送可能なビット数に基づき、前記第一の伝送フォーマットに含まれる第一の伝送ブロックサイズを確定する。
【００９２】
ここで、単位アップリンクリソースは単位時間領域リソース、単位周波数領域リソースと単位空間領域リソースによって共同で決定されたリソースサイズであってもよいがこれに限定されない。
【００９３】
ここで、単位時間領域リソースは、フレーム、サブフレーム、タイムスロット又はシンボルを指すことができ、アップリンク利用可能リソースのサイズは、単位時間領域リソースの数、例えばフレーム数、サブフレーム数、タイムスロット数又はシンボル数などを含むことができる。
【００９４】
ここで、単位周波数領域リソースは、リソースブロック（ＲＢ：Ｒｅｓｏｕｒｃｅ  Ｂｌｏｃｋ）又はＲＢグループなどのアップリンク利用可能リソースのサイズは、単位周波数領域リソースの数、例えば、ＲＢの数又はＲＢグループの数などを含むことができる。
【００９５】
ここで、単位空間領域リソースは送信ビームなどを指すことができ、アップリンク利用可能リソースのサイズは単位空間領域リソースの数、例えば、送信ビームの数などを含むことができる。
【００９６】
選択可能に、前記単位アップリンクリソースで搬送可能なビット数が複数の変調方式のうちの各変調方式に対応する単位アップリンクリソースで搬送可能なビット数を含み、前記端末装置は、前記アップリンク利用可能リソースのサイズ、及び前記基準コードレート、及び前記各変調方式に対応する単位アップリンクリソースで搬送可能なビット数に基づき、前記各変調方式に対応する伝送ブロックサイズを確定し、前記端末装置は前記複数の変調方式に対応する伝送ブロックサイズに基づき、前記第一の伝送フォーマットに含まれる第一の伝送ブロックサイズを確定し、前記第一の伝送フォーマットに含まれる第一の変調方式又は第一の変調符号化レベルを確定する。
【００９７】
例えば、前記複数の変調方式に対応する伝送ブロックサイズのうちの最大の伝送ブロックサイズを前記第一の伝送ブロックサイズとして確定する。
【００９８】
前記第一の伝送ブロックサイズに対応する変調方式を前記第一の変調方式として確定し、又は前記第一の伝送ブロックサイズに対応する変調方式が属する変調符号化レベルを前記第一の変調符号化レベルとして確定する。
【００９９】
例えば、前記複数の変調方式に対応する伝送ブロックサイズから、前記送信待ちデータのデータ量より大きい少なくとも一つの伝送ブロックサイズを確定し、前記少なくとも一つの伝送ブロックサイズのうちの最小の伝送ブロックサイズを前記第一の伝送ブロックサイズとして確定し、前記第一の伝送ブロックサイズに対応する変調方式を前記第一の変調方式として確定し、又は前記第一の伝送ブロックサイズに対応する変調方式が属する変調符号化レベルを前記第一の変調符号化レベルとして確定する。
【０１００】
例えば、前記各変調方式の対応する伝送ブロックサイズにおける送信電力を計算し、対応する伝送ブロックサイズにおける前記各変調方式に対応する送信電力に基づき、前記第一の伝送ブロックサイズを確定し、第一の変調方式又は第一の変調符号化レベルを確定する。
【０１０１】
選択可能に、どのように前記各変調方式の対応する伝送ブロックサイズにおける送信電力に基づき、前記第一の伝送ブロックサイズを確定し、第一の変調方式又は第一の変調符号化レベルを確定するかは複数の実施形態があり得る。
【０１０２】
例えば、前記第一の変調方式又は前記第一の変調符号化レベルに含まれる変調方式に対応する送信電力は、前記複数の変調方式に対応する送信電力のうちの最小の送信電力であり、及び／又は前記第一の変調方式又は前記第一の変調符号化レベルに含まれる変調方式に対応する送信電力は前記端末装置が前記送信待ちデータを伝送するための最大利用可能送信電力より小さい。
【０１０３】
例えば、前記各変調方式の対応する伝送ブロックサイズにおける送信電力、及び前記各変調方式に対応する伝送ブロックサイズに基づき、前記第一の伝送ブロックサイズを確定し、第一の変調方式又は第一の変調符号化レベルを確定する。
【０１０４】
具体的には、送信電力と伝送ブロックサイズがいずれも一定の範囲内にある送信電力と伝送ブロックサイズの組み合わせを選択することができ、又は、送信電力と伝送ブロックサイズを同じ単位で換算して重み付けし、得られた値に従って送信電力と伝送ブロックサイズの組み合わせを選択することができる。
【０１０５】
一つの実施形態では、前記端末装置は現在のダウンリンク品質、及び第一の対応関係に基づき、前記第一の伝送フォーマットを確定し、ここで、前記第一の対応関係が複数の伝送フォーマットと複数のダウンリンク品質範囲との対応関係を示すことに用いられる。
【０１０６】
一つの実施形態では、前記端末装置は前記送信待ちデータのデータフロー、及び第二の対応関係に基づき、前記第一の伝送フォーマットを確定し、ここで、前記第二の対応関係が複数の伝送フォーマットと複数のデータフローとの対応関係を示すことに用いられる。
【０１０７】
一つの実施形態では、前記端末装置は前記送信待ちデータのベアラ、及び第三の対応関係に基づき、前記第一の伝送フォーマットを確定し、ここで、前記第三の対応関係が複数の伝送フォーマットと複数のベアラとの対応関係を示すことに用いられる。
【０１０８】
一つの実施形態では、前記端末装置は前記予め設定された、アップリンクデータを伝送するための利用可能リソースの位置、及び第四の対応関係に基づき、前記第一の伝送フォーマットを確定し、ここで、前記第三の対応関係が複数の伝送フォーマットと複数のアップリンクリソース位置範囲との対応関係を示すことに用いられる。
【０１０９】
一つの実施形態では、前記端末装置は、前記送信待ちデータのＱｏＳ要求、及び複数の伝送フォーマットのうちの各複数の伝送フォーマットが満たすことができるＱｏＳ要求に基づき、前記第一の伝送フォーマットを確定する。
【０１１０】
選択可能に、本出願の実施例では、端末装置は前記第一の伝送フォーマットに含まれる第一の伝送ブロックサイズを確定し、
前記第一の伝送ブロックサイズに基づき、予め設定された複数の変調方式のうちの各変調方式に対応する送信電力を計算し、
前記各変調方式に対応する送信電力に従って、前記第一の伝送フォーマットに含まれる第一の変調方式又は第一の変調符号化レベルを確定する。
【０１１１】
選択可能に、前記第一の変調方式又は前記第一の変調符号化レベルに含まれる変調方式に対応する送信電力は、前記複数の変調方式に対応する送信電力のうちの最小の送信電力であり、及び／又は
前記第一の変調方式又は前記第一の変調符号化レベルに含まれる変調方式に対応する送信電力は前記端末装置が前記送信待ちデータを伝送するための最大利用可能送信電力より小さい。
【０１１２】
２２０において、前記第一の伝送フォーマットに従って、前記端末装置は、ネットワーク装置へ前記送信待ちデータを送信する。
【０１１３】
選択可能に、前記端末装置は前記ネットワーク装置へ第一の指示情報を送信し、前記第一の指示情報が前記第一の伝送フォーマットを示すことに用いられる。
【０１１４】
一つの実施形態では、前記端末装置は前記送信待ちデータを送信するためのデータチャネルを介して前記ネットワーク装置へ前記第一の指示情報を送信する。
【０１１５】
別の実施形態では、前記端末装置は伝送フォーマットの指示情報を送信するためのプリセットリソースで、前記ネットワーク装置へ前記第一の指示情報を送信する。
【０１１６】
選択可能に、前記プリセットリソースは前記端末装置の専用リソースであり、又は、
前記プリセットリソースは複数の端末装置によって共有されるリソースであり、前記指示情報はさらに前記端末装置の識別子を含む。
【０１１７】
図３は本出願の実施例による無線通信方法３００の概略フローチャートである。図３に示すように、該方法３００は以下を含む。
【０１１８】
３１０において、ネットワーク装置は受信待ちデータを受信するための第一の伝送フォーマットを確定する。
【０１１９】
選択可能に、該端末装置は非アクティブ状態の端末装置であってもよい。
【０１２０】
選択可能に、前記第一の伝送フォーマットは、
第一の変調方式、第一の符号化レート、第一の伝送ブロックサイズ、第一の変調符号化レベル、及び第一の物理リソースブロックサイズのうちの少なくとも一つを含む。
【０１２１】
選択可能に、ネットワーク装置は、受信待ちデータを搬送するリソースの位置に基づいて第一の伝送フォーマットを確定することができる。
【０１２２】
選択可能に、前記ネットワーク装置は前記端末装置から送信された第一の指示情報を受信し、前記第一の指示情報が前記第一の伝送フォーマットを示すことに用いられ、前記ネットワーク装置は前記第一の指示情報に基づき、前記第一の伝送フォーマットを確定する。
【０１２３】
一つの実施形態では、前記ネットワーク装置は前記受信待ちデータを伝送するためのデータチャネルを介し、前記端末装置から送信された前記第一の指示情報を受信する。
【０１２４】
一つの実施形態では、前記ネットワーク装置は、伝送フォーマットの指示情報を伝送するためのプリセットリソースで、端末装置から送信された前記第一の指示情報を受信する。
【０１２５】
選択可能に、前記プリセットリソースは前記端末装置の専用リソースであり、又は、
前記プリセットリソースは複数の端末装置によって共有されるリソースであり、前記指示情報はさらに前記端末装置の識別子を含む。
【０１２６】
３２０において、前記第一の伝送フォーマットに従って、前記ネットワーク装置は端末装置から送信された前記受信待ちデータを受信する。
【０１２７】
選択可能に、前記ネットワーク装置は、受信側がアップリンクデータを伝送するための伝送フォーマットを選択するために、配置情報を送信し、ここで、前記受信側が前記端末装置を含み、前記配置情報が下記の少なくとも一つを示すことに用いられる。
【０１２８】
予め設定された複数の伝送フォーマット、
予め設定されたアップリンク利用可能リソースの位置、
予め設定されたアップリンク利用可能リソースのサイズ、及び
予め設定されたアップリンクデータの基準コードレート。
【０１２９】
したがって、本出願の実施例では、端末装置は送信待ちデータを送信するための第一の伝送フォーマットを確定する。
【０１３０】
前記第一の伝送フォーマットに従って、前記端末装置は、ネットワーク装置へ前記送信待ちデータを送信する。
【０１３１】
以上に図１−図３と組み合わせて本出願の実施例による無線通信方法を説明し、以下に図４−図７と組み合わせて本出願の実施例による無線通信方法を実施できる装置を説明する。
【０１３２】
図４は本出願の実施例による端末装置４００の概略ブロック図である。図４に示すように、該端末装置４００は処理ユニット４１０と送受信ユニット４２０を備える。
【０１３３】
ここで、処理ユニット４１０は送信待ちデータを送信するための第一の伝送フォーマットを確定するように構成され、送受信ユニット４２０は前記第一の伝送フォーマットに従って、ネットワーク装置へ前記送信待ちデータを送信するように構成される。
【０１３４】
選択可能に、前記第一の伝送フォーマットは、
第一の変調方式、第一の符号化レート、第一の伝送ブロックサイズ、第一の変調符号化レベル、及び第一の物理リソースブロックサイズのうちの少なくとも一つを含む。
【０１３５】
選択可能に、前記送受信ユニット４２０はさらに、
前記ネットワーク装置へ第一の指示情報を送信するように構成され、前記第一の指示情報が前記第一の伝送フォーマットを示すことに用いられる。
【０１３６】
選択可能に、前記送受信ユニット４２０はさらに、
前記送信待ちデータを送信するためのデータチャネルを介して前記ネットワーク装置へ前記第一の指示情報を送信するように構成される。
【０１３７】
選択可能に、前記送受信ユニット４２０はさらに、
伝送フォーマットの指示情報を送信するためのプリセットリソースで、前記ネットワーク装置へ前記第一の指示情報を送信するように構成される。
【０１３８】
選択可能に、前記プリセットリソースは前記端末装置の専用リソースであり、又は、
前記プリセットリソースは複数の端末装置によって共有されるリソースであり、前記指示情報はさらに前記端末装置の識別子を含む。
【０１３９】
選択可能に、前記処理ユニット４１０はさらに、
下記の少なくとも一つに基づき、前記第一の伝送フォーマットを確定するように構成される。
【０１４０】
予め設定された複数の伝送フォーマット、
前記送信待ちデータのデータ量、
現在のダウンリンク品質、
前記送信待ちデータのサービス品質（ＱｏＳ）要求、
前記送信待ちデータのベアラ、
前記送信待ちデータのデータフロー、
予め設定されたアップリンク利用可能リソースの位置、
予め設定されたアップリンク利用可能リソースのサイズ、予め設定された基準コードレート、単位アップリンクリソースで搬送可能なビット数、
前記端末装置が前記送信待ちデータを伝送するための最大利用可能送信電力。
【０１４１】
選択可能に、前記処理ユニット４１０はさらに、
予め設定された複数の伝送ブロックサイズ、及び前記送信待ちデータのデータ量に基づき、少なくとも一つの伝送ブロックサイズを確定し、前記少なくとも一つの伝送ブロックサイズが前記複数の伝送ブロックサイズのうちの前記送信待ちデータのデータ量より大きい伝送ブロックサイズであり、
前記少なくとも一つの伝送ブロックサイズのうちの最小の伝送ブロックサイズを前記第一の伝送フォーマットに含まれる第一の伝送ブロックサイズとして確定するように構成される。
【０１４２】
選択可能に、前記処理ユニット４１０はさらに、
予め設定された複数の伝送ブロックサイズ、及び前記送信待ちデータのデータ量に基づき、少なくとも一つの伝送ブロックサイズを確定し、前記少なくとも一つの伝送ブロックサイズが前記複数の伝送ブロックサイズのうちの前記送信待ちデータのデータ量より小さい伝送ブロックサイズであり、
前記少なくとも一つの伝送ブロックサイズのうちの最大の伝送ブロックサイズを前記第一の伝送フォーマットに含まれる第一の伝送ブロックサイズとして確定するように構成される。
【０１４３】
選択可能に、前記処理ユニット４１０はさらに、
予め設定されたアップリンク利用可能リソースのサイズ、予め設定された基準コードレート、及び単位アップリンクリソースで搬送可能なビット数に基づき、前記第一の伝送フォーマットに含まれる第一の伝送ブロックサイズを確定するように構成される。
【０１４４】
選択可能に、前記処理ユニット４１０はさらに、
前記第一の伝送フォーマットに含まれる第一の伝送ブロックサイズを確定し、
前記第一の伝送ブロックサイズに基づき、予め設定された複数の変調方式のうちの各変調方式に対応する送信電力を計算し、
前記各変調方式に対応する送信電力に従って、前記第一の伝送フォーマットに含まれる第一の変調方式又は第一の変調符号化レベルを確定するように構成される。
【０１４５】
選択可能に、前記第一の変調方式又は前記第一の変調符号化レベルに含まれる変調方式に対応する送信電力は、前記複数の変調方式に対応する送信電力のうちの最小の送信電力であり、及び／又は
前記第一の変調方式又は前記第一の変調符号化レベルに含まれる変調方式に対応する送信電力は前記端末装置が前記送信待ちデータを伝送するための最大利用可能送信電力より小さい。
【０１４６】
選択可能に、前記単位アップリンクリソースで搬送可能なビット数が複数の変調方式のうちの各変調方式に対応する単位アップリンクリソースで搬送可能なビット数を含み、
前記処理ユニット４１０はさらに、
前記アップリンク利用可能リソースのサイズ、前記基準コードレート、及び前記各変調方式に対応する単位アップリンクリソースで搬送可能なビット数に基づき、前記各変調方式に対応する伝送ブロックサイズを確定し、
前記複数の変調方式に対応する伝送ブロックサイズに基づき、前記第一の伝送フォーマットに含まれる第一の伝送ブロックサイズを確定し、前記第一の伝送フォーマットに含まれる第一の変調方式又は第一の変調符号化レベルを確定するように構成される。
【０１４７】
選択可能に、前記処理ユニット４１０はさらに、
前記複数の変調方式に対応する伝送ブロックサイズのうちの最大の伝送ブロックサイズを前記第一の伝送ブロックサイズとして確定し、
前記第一の伝送ブロックサイズに対応する変調方式を前記第一の変調方式として確定し、又は前記第一の伝送ブロックサイズに対応する変調方式が属する変調符号化レベルを前記第一の変調符号化レベルとして確定するように構成される。
【０１４８】
選択可能に、前記処理ユニット４１０はさらに、
前記複数の変調方式に対応する伝送ブロックサイズから、前記送信待ちデータのデータ量より大きい少なくとも一つの伝送ブロックサイズを確定し、
前記少なくとも一つの伝送ブロックサイズのうちの最小の伝送ブロックサイズを前記第一の伝送ブロックサイズとして確定し、
前記第一の伝送ブロックサイズに対応する変調方式を前記第一の変調方式として確定し、又は前記第一の伝送ブロックサイズに対応する変調方式が属する変調符号化レベルを前記第一の変調符号化レベルとして確定するように構成される。
【０１４９】
選択可能に、前記処理ユニット４１０はさらに、
前記各変調方式の対応する伝送ブロックサイズにおける送信電力を計算し、
前記各変調方式の対応する伝送ブロックサイズにおける送信電力に基づき、前記第一の伝送ブロックサイズを確定し、第一の変調方式又は第一の変調符号化レベルを確定するように構成される。
【０１５０】
選択可能に、前記第一の変調方式又は前記第一の変調符号化レベルに含まれる変調方式に対応する送信電力は、前記複数の変調方式に対応する送信電力のうちの最小の送信電力であり、及び／又は
前記第一の変調方式又は前記第一の変調符号化レベルに含まれる変調方式に対応する送信電力は前記端末装置が前記送信待ちデータを伝送するための最大利用可能送信電力より小さい。
【０１５１】
選択可能に、前記処理ユニット４１０はさらに、
前記各変調方式の対応する伝送ブロックサイズにおける送信電力、及び前記各変調方式に対応する伝送ブロックサイズに基づき、前記第一の伝送ブロックサイズを確定し、第一の変調方式又は第一の変調符号化レベルを確定するように構成される。
【０１５２】
選択可能に、前記処理ユニット４１０はさらに、
現在のダウンリンク品質、及び第一の対応関係に基づき、前記第一の伝送フォーマットを確定するように構成され、ここで、前記第一の対応関係が複数の伝送フォーマットと複数のダウンリンク品質範囲との対応関係を示すことに用いられる。
【０１５３】
選択可能に、前記処理ユニット４１０はさらに、
前記送信待ちデータのデータフロー、及び第二の対応関係に基づき、前記第一の伝送フォーマットを確定するように構成され、ここで、前記第二の対応関係が複数の伝送フォーマットと複数のデータフローとの対応関係を示すことに用いられる。
【０１５４】
選択可能に、前記処理ユニット４１０はさらに、
前記送信待ちデータのベアラ、及び第三の対応関係に基づき、前記第一の伝送フォーマットを確定するように構成され、ここで、前記第三の対応関係が複数の伝送フォーマットと複数のベアラとの対応関係を示すことに用いられる。
【０１５５】
選択可能に、前記処理ユニット４１０はさらに、
前記予め設定された、アップリンクデータを伝送するための利用可能リソースの位置、及び第四の対応関係に基づき、前記第一の伝送フォーマットを確定するように構成され、ここで、前記第三の対応関係が複数の伝送フォーマットと複数のアップリンクリソース位置範囲との対応関係を示すことに用いられる。
【０１５６】
選択可能に、前記処理ユニット４１０はさらに、
前記送信待ちデータのＱｏＳ要求、及び複数の伝送フォーマットのうちの各複数の伝送フォーマットが満たすことができるＱｏＳ要求に基づき、前記第一の伝送フォーマットを確定するように構成される。
【０１５７】
選択可能に、前記送受信ユニット４２０はさらに、
前記ネットワーク装置の配置情報を受信するように構成され、前記配置情報が下記の少なくとも一つを示すことに用いられる。
【０１５８】
前記予め設定された複数の伝送フォーマット、
前記予め設定されたアップリンク利用可能リソースの位置、
前記予め設定されたアップリンク利用可能リソースのサイズ、及び
予め設定されたアップリンクデータの基準コードレート。
【０１５９】
選択可能に、前記送受信ユニット４２０はさらに、
前記ネットワーク装置によって無線リソース制御（ＲＲＣ）層シグナリング、メディアアクセス制御（ＭＡＣ）層シグナリング又は物理層シグナリングを介して送信された前記配置情報を受信するように構成される。
【０１６０】
選択可能に、前記端末装置４００はグラントフリー伝送に用いられる。
【０１６１】
選択可能に、前記端末装置４００は非アクティブ状態の端末装置である。
【０１６２】
理解すべきものとして、該端末装置４００は方法２００における端末装置に対応してもよく、該方法２００における端末装置によって実現される対応する機能を実現することができ、簡潔にするために、ここで説明を省略する。
【０１６３】
図５は本出願の実施例によるネットワーク装置５００の概略ブロック図である。図５に示すように、該ネットワーク装置５００は処理ユニット５１０と送受信ユニット５２０を備える。
【０１６４】
ここで、処理ユニット５１０は受信待ちデータを受信するための第一の伝送フォーマットを確定するように構成され、送受信ユニット５２０は前記第一の伝送フォーマットに従って、端末装置から送信された前記受信待ちデータを受信するように構成される。
【０１６５】
選択可能に、前記第一の伝送フォーマットは、
第一の変調方式、第一の符号化レート、第一の伝送ブロックサイズ、第一の変調符号化レベル、及び第一の物理リソースブロックサイズのうちの少なくとも一つを含む。
【０１６６】
選択可能に、前記送受信ユニット５２０はさらに、
前記端末装置から送信された第一の指示情報を受信するように構成され、前記第一の指示情報が前記第一の伝送フォーマットを示すことに用いられる。
【０１６７】
前記処理ユニット５１０はさらに、
前記第一の指示情報に基づき、前記第一の伝送フォーマットを確定するように構成される。
【０１６８】
選択可能に、前記送受信ユニット５２０はさらに、
前記受信待ちデータを伝送するためのデータチャネルを介し、前記端末装置から送信された前記第一の指示情報を受信するように構成される。
【０１６９】
選択可能に、前記送受信ユニット５２０はさらに、
伝送フォーマットの指示情報を伝送するためのプリセットリソースで、前記端末装置から送信された前記第一の指示情報を受信するように構成される。
【０１７０】
選択可能に、前記プリセットリソースは前記端末装置の専用リソースであり、又は、
前記プリセットリソースは複数の端末装置によって共有されるリソースであり、前記指示情報はさらに前記端末装置の識別子を含む。
【０１７１】
選択可能に、前記送受信ユニット５２０はさらに、
受信側がアップリンクデータを伝送するための伝送フォーマットを選択するために、配置情報を送信するように構成され、ここで、前記受信側が前記端末装置を含み、前記配置情報が下記の少なくとも一つを示すことに用いられる。
【０１７２】
予め設定された複数の伝送フォーマット、
予め設定されたアップリンク利用可能リソースの位置、
予め設定されたアップリンク利用可能リソースのサイズ、及び
予め設定されたアップリンクデータの基準コードレート。
【０１７３】
選択可能に、前記ネットワーク装置はグラントフリー伝送に用いられる。
【０１７４】
選択可能に、前記端末装置は非アクティブ状態にある端末装置である。
【０１７５】
理解すべきものとして、該ネットワーク５００は方法３００におけるネットワーク装置に対応してもよく、該方法３００におけるネットワーク装置によって実現される対応する機能を実現することができ、簡潔にするために、ここで説明を省略する。
【０１７６】
図６は本出願の実施例による通信装置６００の概略ブロック図である。図６に示すように、該装置６００はプロセッサ６１０とメモリ６２０を備える。ここで、該メモリ６２０はプログラムコードを記憶することができ、該プロセッサ６１０は該メモリ６２０に記憶されたプログラムコードを実行することができる。
【０１７７】
選択可能に、図６に示すように、該装置６００は送受信機６３０を備えることができ、プロセッサ６１０は外部と通信するように送受信機６３０を制御することができる。
【０１７８】
選択可能に、該プロセッサ６１０はメモリ６２０に記憶されたプログラムコードを呼び出し、図２に示す方法２００における端末装置の対応する操作を実行することができ、簡潔にするために、説明を省略する。
【０１７９】
選択可能に、該プロセッサ６１０はメモリ６２０に記憶されたプログラムコードを呼び出し、図３に示す方法３００におけるネットワーク装置の対応する操作を実行することができ、簡潔にするために、説明を省略する。
【０１８０】
図７は本出願の実施例によるシステムチップの概略構造図である。図７のシステムチップ７００は入力インタフェース７０１、出力インタフェース７０２、プロセッサ７０３とメモリ７０４を備え、前記プロセッサ７０３及びメモリ７０４が内部接続回線を介して接続され、前記プロセッサ７０３が前記メモリ７０４でのコードを実行するように構成される。
【０１８１】
選択可能に、前記コードが実行される場合、前記プロセッサ７０３は図２に示す方法２００における端末装置によって実行される方法を実現する。簡潔にするために、ここでは説明を省略する。
【０１８２】
選択可能に、前記コードが実行される場合、前記プロセッサ７０３は図３に示す方法３００におけるネットワーク装置によって実行される方法を実現する。簡潔にするために、ここでは説明を省略する。
【０１８３】
当業者であれば、本明細書で開示された実施例と組み合わせて説明された各例のユニット及びアルゴリズムステップは、電子ハードウェア、又はコンピュータソフトウェアと電子ハードウェアの組み合わせで実現されてもよいと理解できる。これらの機能がハードウェア又はソフトウェアで実行されるかは、技術的解決策の特定応用と設計制約条件に依存する。当業者は各特定の応用に対して異なる方法を用いて記述される機能を実現することが可能であるが、このような実現は本出願の範囲を超えると見なしてはならない。
【０１８４】
当業者は、便利及び簡潔に説明するために、上記のシステム、装置及びユニットの具体的な動作プロセスについて、前記方法の実施例における対応するプロセスを参照できることを明確に理解することができ、ここでは説明を省略する。
【０１８５】
本出願が提供する、いくつかの実施例では、開示されたシステム、装置及び方法は、他の方式により実現されてもよいと理解すべきである。例えば、上記の装置の実施例は例示的なものだけであり、例えば、前記ユニットの区分は、論理機能的区分だけであり、実際に実施する時に他の区分方式もあり得て、例えば複数のユニットまたは構成要素は組み合わせられてもよい又は別のシステムに統合されてもよく、又はいくつかの特徴は無視されてもよく、又は実行されなくてもよい。また、示される又は議論される相互結合又は直接結合又は通信接続はいくつかのインターフェース、装置又はユニットを介する間接的結合又は通信接続であってもよく、電気的、機械的又は他の形態であってもよい。
【０１８６】
分離部材として説明された前記ユニットは物理的に分離するものであってもよく又は物理的に分離するものでなくてもよく、ユニットとして表示された部材は物理ユニットであってもよく又は物理ユニットでなくてもよく、即ち一つの箇所に位置してもよく、又は複数のネットワークユニットに分布してもよい。実際のニーズに応じてそのうちの一部又は全てのユニットを選択して本実施例の技術的解決策の目的を達成することができる。
【０１８７】
また、本出願の各実施例における各機能ユニットは一つの処理ユニットに統合されてもよく、個々のユニットは単独で物理的に存在してもよく、二つまたは二つ以上のユニットは一つのユニットに統合されてもよい。
【０１８８】
前記機能はソフトウェア機能ユニットの形態で実現され且つ独立した製品として販売又は使用される時に、一つのコンピュータ読み取り可能な記憶媒体に格納されてもよい。このような理解に基づき、本出願の技術的解決策は本質的に又は従来技術に寄与する部分又は該技術的解決策の部分がソフトウェア製品の形で実現されてもよく、該コンピュータソフトウェア製品がコンピュータ装置（パーソナルコンピュータ、サーバ、又はネットワークデバイス等であってもよい）に本出願の様々な実施例に記載された方法の全て又は一部のステップを実行させるためのいくつかの命令を含む、記憶媒体に記憶される。前記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０１８９】
以上は、本出願の実施例の具体的な実施形態だけであるが、本出願の保護範囲はこれに制限されず、当業者が本出願で開示された技術範囲内で容易に想到し得る変化又は入れ替わりが全て本出願の保護範囲以内に含まれるべきである。従って、本出願の保護範囲は前記請求項の保護範囲に準拠するべきである。
【図１】
0006980794.tif 000002
【図２】
0006980794.tif 000003
【図３】
0006980794.tif 000004
【図４】
0006980794.tif 000005
【図５】
0006980794.tif 000006
【図６】
0006980794.tif 000007
【図７】
0006980794.tif 000008